(57)【特許請求の範囲】
【請求項１】
バッテリーを機器の収容部に着脱可能に収容保持するバッテリー着脱機構であって、
前記収容部は、前記バッテリーの当て付け面が当て付けられる底面と、前記バッテリーの当て付け面から起立する第１、第２のバッテリー側面に臨む第１、第２の収容部側面を備え、
前記バッテリー着脱機構は、係合爪と、操作部材と、単一の支軸と、第１の付勢手段と、第２の付勢手段とを備え、
前記支軸は、前記収容部の外側の箇所で前記第１の収容部側面の延在方向に沿って延在するように設けられ、
前記係合爪は、前記第１の収容部側面から突出して前記収容部に収容されたバッテリーの係合凹部に係合する係合位置と、前記第１の収容部側面から退き前記係合凹部から離れる退避位置との間を揺動できるように前記支軸に結合され、
前記操作部材は、前記第１のバッテリー側面に対して離間接近する方向に前記支軸に揺動可能に結合されるとともに、ロック位置とロック解除位置との間を前記支軸に沿って直線移動できるように結合され、
前記第１の付勢手段は、前記係合爪を前記退避位置から係合位置へ揺動する方向に付勢するように設けられ、
前記第２の付勢手段は、前記操作部材を前記ロック解除位置からロック位置へ直線移動する方向に付勢するように設けられ、
前記操作部材をロック位置に位置させた状態で、前記バッテリーの当て付け面を収容部の底面に当て付け、前記第１、第２のバッテリー側面を第１、第２の収容部側面に臨ませて前記バッテリーを収容部に収容させると、前記係合爪が前記係合凹部に係合する係合位置となってバッテリー収容保持状態が形成され、
前記バッテリー収容保持状態から前記操作部材をロック解除位置に直線移動させ操作部材を前記第１のバッテリー側面から離れる方向に揺動させると、この操作部材の揺動に連動して係合爪が係合凹部から外れた退避位置となり、収容部からのバッテリーの取外しが可能となるように構成されている、
ことを特徴とするバッテリー着脱機構。
【請求項２】
前記操作部材が前記ロック位置に位置した状態で、前記操作部材に当接して前記第１のバッテリー側面に対して離間接近する方向への該操作部材の揺動を不能とする当接部が機器の壁部に設けられていることを特徴とする請求項１記載のバッテリー着脱機構。
【請求項３】
前記操作部材のロック位置からロック解除位置への移動は、機器の壁部に設けられた直線移動用溝部を前記操作部材の部分が通過することでなされ、前記操作部材の前記第１のバッテリー側面に対して離間接近する方向への揺動は、機器の壁部に設けられた揺動用溝部を前記操作部材の部分が通過することでなされることを特徴とする請求項１記載のバッテリー着脱機構。
【請求項４】
前記操作部材には、該操作部材を前記第１のバッテリー側面から離れる方向に揺動させると前記係合爪に当接して該係合爪を係合位置から退避位置に揺動させる当接部が設けられていることを特徴とする請求項１記載のバッテリー着脱機構。
【請求項５】
前記操作部材は、前記収容部の第１の収容部側面に臨む機器の外面に配置されていることを特徴とする請求項１記載のバッテリー着脱機構。
【請求項６】
前記係合爪が前記係合位置に位置した状態で、前記収容部内に位置する前記係合爪部分に、前記収容部の底面から離れるに従って前記第１の収容部側面に近づく方向に傾斜する傾斜面が形成されていることを特徴とする請求項１記載のバッテリー着脱機構。
【請求項７】
前記収容部の底面に前記バッテリーの当て付け面に当接して該バッテリーを前記底面から離間する方向に付勢する付勢部材が設けられていることを特徴とする請求項１記載のバッテリー着脱機構。
【請求項８】
前記操作部材の外方に臨む箇所および前記機器の操作部材近傍の外方に臨む箇所の少なくとも一方に、前記操作部材のロック位置からロック解除位置方向への直線移動方向を示す表示および前記操作部材の揺動方向を示す表示の少なくとも一方の表示が設けられていることを特徴とする請求項１記載のバッテリー着脱機構。
【発明の詳細な説明】
【０００１】
【発明の属する技術分野】
本発明は、バッテリーを機器の収容部に着脱可能に収容保持するバッテリー着脱機構に関する。
【０００２】
【従来の技術】
従来、この種のバッテリー着脱機構の構成としては、例えばバッテリーの側面に係合溝を設けるとともに、前記収容部に前記係合溝と係合する係合凸部を設けたものがある。
この構成では、前記係合溝と係合凸部が複数設けられ、これらバッテリーの係合溝を前記収容部の係合凸部に合致させた状態で前記バッテリーを前記収容部に対して所定方向に直線移動させることにより前記係合溝と係合凸部の係合状態を形成し、前記バッテリーを前記所定方向と異なる方向に直線移動させることにより前記係合状態を解除するようにしている。
【０００３】
【発明が解決しようとする課題】
しかしながら、このようなバッテリー着脱機構では、収容部でのバッテリーの保持を確実に行なうため係合凸部が大型となり、これら大型となった複数の係合凸部に対して係脱を行なうためのスペースも大きくなり、機器の収容部の小型化、ひいては機器の小型化を図ることが難しいという問題があった。
また、バッテリーを収容部に収容保持させるためのバッテリーの移動は、バッテリー自体をつかんで動かす必要があることから操作性がよいものとはいえなかった。
本発明は、このような実状に鑑みてなされたものであり、機器の小型化を図る上で有利であり、バッテリーの着脱操作が容易なバッテリー着脱機構を提供することを目的とする。
【０００４】
【課題を解決するための手段】
本発明のバッテリー着脱機構は上記目的を達成するため、バッテリーを機器の収容部に着脱可能に収容保持するバッテリー着脱機構であって、前記収容部は、前記バッテリーの当て付け面が当て付けられる底面と、前記バッテリーの当て付け面から起立する第１、第２のバッテリー側面に臨む第１、第２の収容部側面を備え、前記バッテリー着脱機構は、係合爪と、操作部材と、単一の支軸と、第１の付勢手段と、第２の付勢手段とを備え、前記支軸は、前記収容部の外側の箇所で前記第１の収容部側面の延在方向に沿って延在するように設けられ、前記係合爪は、前記第１の収容部側面から突出して前記収容部に収容されたバッテリーの係合凹部に係合する係合位置と、前記第１の収容部側面から退き前記係合凹部から離れる退避位置との間を揺動できるように前記支軸に結合され、前記操作部材は、前記第１のバッテリー側面に対して離間接近する方向に前記支軸に揺動可能に結合されるとともに、ロック位置とロック解除位置との間を前記支軸に沿って直線移動できるように結合され、前記第１の付勢手段は、前記係合爪を前記退避位置から係合位置へ揺動する方向に付勢するように設けられ、前記第２の付勢手段は、前記操作部材を前記ロック解除位置からロック位置へ直線移動する方向に付勢するように設けられ、前記操作部材をロック位置に位置させた状態で、前記バッテリーの当て付け面を収容部の底面に当て付け、前記第１、第２のバッテリー側面を第１、第２の収容部側面に臨ませて前記バッテリーを収容部に収容させると、前記係合爪が前記係合凹部に係合する係合位置となってバッテリー収容保持状態が形成され、前記バッテリー収容保持状態から前記操作部材をロック解除位置に直線移動させ操作部材を前記第１のバッテリー側面から離れる方向に揺動させると、この操作部材の揺動に連動して係合爪が係合凹部から外れた退避位置となり、収容部からのバッテリーの取外しが可能となるように構成されていることを特徴とする。
【０００５】
そのため、本発明によれば、前記バッテリーを収容部に収容させると前記係合爪が前記バッテリーの係合凹部に係合することでバッテリー収容保持状態が形成され、前記操作部材をロック位置からロック解除位置に移動させ、さらに操作部材を前記第１のバッテリー側面から離れる方向に揺動させると前記係合爪が係合凹部から外れ、バッテリーの取外しが可能な状態となる。
【０００６】
【発明の実施の形態】
以下、本発明によるバッテリー着脱機構の実施の形態を図面に基づいて詳細に説明する。
図１は本発明の実施の形態のバッテリー着脱機構の操作部材がロック位置に位置した状態を示す斜視図、図２は本発明のバッテリー着脱機構が適用されたビデオカメラの斜視図、図３（Ａ）はバッテリーを上方から見た斜視図、（Ｂ）はバッテリーを下方から見た斜視図である。
機器としてのビデオカメラ１００は、上下方向の高さと左右方向の幅と前後方向の長さを有する箱状の本体１０と、本体１０の左側の側面１００２の前方寄りで上方寄りの箇所にヒンジ１００３を介して連結された矩形板状の表示パネル１００４と、前記側面１００２のほぼ下半分に設けられバッテリー３０を収容する収容部２０とを備えて構成されている。
前記表示パネル１００４は、前記ヒンジ１００３によって本体１０の側面１００２の上半分の部分に収容される位置と側面１００２から側方に突出した位置の間で移動できるように支持されている。
前記本体１０の前部の上側寄りの箇所には撮影レンズ１００６が前方に臨んで設けられ、本体１０の上部にはマイク１００８が設けられ、本体１０の後面には後方に臨んでビデオ録画用の操作用スイッチ１０１０が設けられている。
【０００７】
図３に示すように、前記バッテリー３０は矩形板状に形成されている。
前記バッテリー３０は、矩形状の当て付け面３００２と、前記当て付け面３００２の２辺から起立し互いに平行する第１、第２のバッテリー側面３００４、３００６と、前記当て付け面３００２の他の２辺から起立し互いに平行する２つの側面３００８、３０１０と、前記第１、第２のバッテリー側面３００４、３００６および２つの側面３００８、３０１０の上部を接続する矩形状の上面３０１２とを有して構成されている。
前記第１のバッテリー側面３００４には、その幅方向の中間で前記当て付け面３００２寄りの箇所に係合凹部３０１４が形成されている。
前記第２のバッテリー側面３００６には、前記側面３０３０寄りで前記当て付け面３００２寄りの箇所に電源接続用の端子部３０１６が設けられ、前記側面３０８寄りで前記当て付け面３００２寄りの箇所に係合凹部３０１８が設けられている。
【０００８】
図２に示すように、前記収容部２０は、前記当て付け面３００２が当て付けられる底面２００２と、底面２００２の両側から起立し前記第１、第２のバッテリー側面３００４、３００６に臨む第１、第２の収容部側面２００４、２００６と、底面２００２の下側から起立し前記側面３００８に臨む第３の収容部側面２００７を備えて構成されている。
前記第２の収容部側面２００６の上方寄りの箇所には、前記バッテリー３０の端子部３０１６に電気的に接続する端子部２０１０が設けられ、前記第２の収容部側面２００６の下方寄りの箇所には、前記係合凹部３０１８に係合する係合凸部２０１１が設けられている。
【０００９】
図１に示すように、前記収容部２０の底面２００２の第１の収容部側面２００４寄りの上部寄りの箇所から該箇所に臨む第１の収容部側面２００４の箇所にわたって付勢部材２０１３が設けられている。前記付勢部材２０１３は、前記バッテリー３０の当て付け面３００２に当接してバッテリー３０を底面２００２から離間する方向に付勢するものであり、本実施の形態では前記付勢部材２０１３は板ばねによって構成されている。
【００１０】
図９はバッテリー着脱機構の操作部材がロック位置に位置した状態を示す斜視図である。
本実施の形態に係るバッテリー着脱機構は、係合爪２０１２と、操作部材２００８と、単一の支軸２０１４と、第１の付勢手段２０１６と、第２の付勢手段２０１８とで構成されている。
図１および図９に示すように、前記支軸２０１４は、前記収容部２０の外側の箇所で前記第１の収容部側面２００４の延在方向に沿って延在するように設けられている。
【００１１】
前記係合爪２０１２は、前記第１の収容部側面２００４から突出して前記収容部２０に収容されたバッテリー３０の係合凹部３０１４に係合する係合位置と、前記第１の収容部側面２００４から退き前記係合凹部３０１４から離れる退避位置との間を揺動できるように前記支軸２０１４に揺動可能に結合されている。
図９、図１４に示すように、前記係合爪２０１２は、前記係合凹部３０１４に係脱する爪部２０１２Ａを備え、さらに第１、第２当接部２０１２Ｂ１、２０１２Ｂ２と、２つの腕部２０１２Ｃ、２０１２Ｄとを有している。
前記爪部２０１２Ａが前記収容部２０に臨む面は、前記収容部２０の底面２００２から離れるに従って前記収容部２０から離れる方向に傾斜する傾斜面２０１２Ａ１として形成されている。
また、前記係合爪２１０２の前記支軸２０１４に対する結合は、前記各腕部２０１２Ｃ、２１０２Ｄの先端に形成された挿通孔２００８Ｅ、２００８Ｆに前記支軸２０１４が挿通されることでなされる。
【００１２】
前記操作部材２００８は、前記第１の収容部側面２００４に臨む本体１０の外面１００１箇所に配置されている。
前記操作部材２００８は、前記支軸２０１４に揺動可能に結合されるとともに、前記支軸２０１４に沿って互いに離間したロック位置とロック解除位置との間を直線移動できるように結合されている。
図１３（Ａ）、（Ｂ）および図１４に示すように、前記操作部材２００８は、前記本体１０の外方に面して円筒面状に形成された板部２００８Ａと、該板部２００８Ａの下面に突設された凸部２００８Ｂと、板部２００８Ａの下面から下方に延出された板状の腕部２００８Ｃを有して構成されている。
前記腕部２００８Ｃの先端には挿通孔２００８Ｄが形成され、該挿通孔２００８Ｄに前記支軸２０１４が挿通されることによって前記操作部材２００８の前記支軸２０１４に対する結合がなされている。
そして、前記支軸２０１４に結合された操作部材２００８は、図１２に示す本体１０の壁面箇所に配設される。
【００１３】
また、図９に示すように、前記腕部２００８Ｃの中間部には、前記操作部材２００８のロック位置とロック解除位置との如何に拘わらず前記係合爪２０１２の第１当接部２０１２Ｂ１に常時当接する第１当接部２００８Ｅ１が設けられている。また、前記腕部２００８Ｃの前記第１当接部２００８Ｂ１の上方の箇所には、前記操作部材２００８がロック解除位置に位置した状態で、前記係合爪２０１２の第２当接部２０１２Ｂ２に当接する第２当接部２００８Ｅ２が設けられている。本実施の形態では、前記第１当接部２００８Ｅ１と第２当接部２００８Ｅ２によって特許請求の範囲の「係合爪に当接して該係合爪を係合位置から退避位置に揺動させる当接部」を構成している。
また、前記板部２００８Ａの外面箇所には、操作部材２００８を直線移動操作および揺動操作させるための複数の滑り止め２００８Ｆが突設されている。
【００１４】
図９に示すように、前記第１の付勢手段２０１６は、本実施の形態では、前記係合爪２０１２の腕部２０１２Ｃ、２０１２Ｄの間で前記支軸２０１４が挿通されたつるまきコイルばねで構成されている。前記つるまきコイルばねは、その一端が前記係合爪２０１２の箇所に取着され、他端が前記本体１０の箇所に取着されている。
前記第１の付勢手段２０１６は、前記係合爪２０１２を、前記収容部２０に収容されたバッテリー３０の係合凹部３０１４に係合する方向に揺動するように付勢している。
【００１５】
前記第２の付勢手段２０１８は、本実施の形態では、前記操作部材２００８の腕部２００８Ｃと前記係合爪２０１２の腕部２０１２Ｄの間で前記支軸２０１４が挿通された圧縮コイルばねで構成されている。
前記第２の付勢手段２０１８は、前記ロック解除位置から前記ロック位置方向に前記操作部材２００８を直線移動するように付勢している。
【００１６】
図１２（Ａ）は操作部材が配設される本体部分の斜視図、（Ｂ）は前記本体部分を収容部の反対側から見た斜視図である。
前記本体１０の外面１００１を構成する壁部には前記操作部材２００８の板部２００８Ａを収容する凹部１０１２が設けられ、この凹部１０１２は、前記操作部材２００８を収容した状態で前記板部２００８Ａの上面が前記本体１０の外面１００１とほぼ同一面をなすように形成されている。
前記凹部１０１２の底面には、前記操作部材２００８の腕部２００８Ｃが通過して該腕部２００８Ｃの揺動を許容する揺動用溝部１０１２Ａと、腕部２００８Ｃの揺動を規制する当接部１０１２Ｃと、前記凸部２００８Ｂが通過して該凸部２００８Ｂの直線移動を許容する直線移動用溝部１０１２Ｂと、凸部２００８Ｂが通過して該凸部２００８Ｂの揺動を許容する揺動用溝部１０１２Ｄとが形成されている。本実施の形態では、前記当接部１０１２Ｃと前記直線移動用溝部１０１２Ｂの両側部が特許請求の範囲の「操作部材の揺動を不能とする当接部」を構成している。
また、前記第１の収容部側面２００４を構成する本体１０の壁部には、前記操作部材２００８の腕部２００８Ｃおよび前記係合爪２０１２を収容した状態で腕部２００８Ｃの直線移動および揺動並びに係合爪２０１２の揺動を許容する切欠１０１２Ｅと、前記腕部２００８Ｃの直線移動を規制する当接部１０１２Ｆとが形成されている。
【００１７】
次に、着脱機構の組立てについて説明する。
前記操作部材２００８は、前記腕部２００８Ｃが前記直線移動用溝部１０１２Ａおよび切欠１０１２Ｅに収容されるとともに、前記凸部２００８Ｂが直線移動用溝部１０１２Ｂあるいは揺動用溝部１０１２Ｄに収容されるように配置される。
前記操作部材２００８がロック位置に位置した状態では、前記腕部２００８Ｃの箇所が前記当接部１０１２Ｃに当接して操作部材２００８の収容部２０から離間する方向の揺動が規制された状態となる。また、腕部２００８Ｃが当接部１０１２Ｅに当接して操作部材２００８のロック位置方向へのさらなる直線移動が規制された状態となる。また、前記凸部２００８Ｂが直線移動用溝部１０１２Ｂの両側面に当接し、これにより操作部材２００８の収容部２０から離間する方向および収容部２０に接近する方向の両方向への揺動が規制された状態となる。
【００１８】
この状態から操作部材２００８をロック解除位置方向に直線移動させ、ロック解除位置に位置させると、前記腕部２００８Ｃの箇所が前記揺動用溝部１０１２Ａに臨み、かつ、前記凸部２００８Ｂが前記揺動用溝部１０１２Ｄに臨むため、操作部材２００８の収容部２０から離れる方向の揺動が許容される状態となる。また、前記凸部２００８Ｂが揺動用溝部１０１２の側面に当接することにより操作部材２００８のロック解除位置方向へのさらなる直線移動が規制された状態となる。さらに、前記操作部材２００８がロック解除位置に位置した状態では、前記腕部２００８Ｃの箇所が前記揺動用溝部１０１２Ａの端部に当接し、かつ、前記凸部２００８Ｂが前記揺動用溝部１０１２Ｄの端部に当接することで操作部材２００８の収容部２０から離れる方向の揺動が規制された状態となる。
【００１９】
上述のように構成されたバッテリー着脱機構の作用について説明する。
バッテリーの装着
前記バッテリー３０の収容部３０への装着は次のようになされる。
図１、図６、図９に示すように、前記操作部材２００８が操作されていない状態では、操作部材２００８は前記第２の付勢手段２０１８によって付勢されることにより腕部２００８Ｃの箇所が当接部１０１２Ｅに当接して前記ロック位置に位置する。
そして、操作部材２００８は、前記腕部２００８Ｃの箇所が前記第１当接部１０１２Ｃに当接するとともに、前記凸部２００８Ｂが前記第２、第３当接部１０１２Ｄ１、１０１２Ｄ２に当接することで揺動が規制された状態となる。
また、前記第１の付勢手段２０１８によって付勢された係止爪２０１２は、前記第１当接部２０１２Ｂ１が操作部材２００８の第１当接部２０１２Ｅ１に当接することで、図１５に実線で示すように、前記係止爪２０１２は収容部２０側に突出する係合位置に位置する。
【００２０】
このような状態で、前記バッテリー３０の係合凹部３０１３を係合凸部２０１１に臨ませるとともに、端子部３０１６を端子部２０１０に臨ませつつ、前記バッテリー３０の当て付け面３００２を収容部２０の底面２０２に当て付け、前記第１、第２のバッテリー側面３００４、３００６、側面３００８を第１、第２、第３の収容部側面２００４、２００６、２００８のそれぞれに臨ませて前記バッテリー３０を収容部２０に収容させる。
すなわち、図１５に示すように、前記バッテリー３０を収容部２０に収容する過程で、バッテリー３０の当て付け面３００２が前記係合爪２０１２の傾斜面２０１２Ａに当接しつつ収容部２０の底面２００２に向かって移動することにより、前記係合爪２０１２は、実線で示す係合位置から二点鎖線で示す退避位置方向に後退される。
【００２１】
さらに、バッテリー３０を収容部２０の底面２００２に向けて移動させることにより、前記係合凹部３０１４が前記爪部２０１２Ａに臨む位置まで移動すると前記係合位置に復帰して爪部２０１２Ａが係合凹部３０１４に係合して図６に示すようにバッテリー収容保持状態が形成される。
すなわち、係合爪２０１２が係合凹部３０１４に係合し、前記バッテリー３０の当て付け面３００２が前記収容部２０の底面２００２に当て付けられることで、バッテリー３０の高さ方向の位置が位置決めされる。また、前記第１バッテリー側面３００４が前記第１の収容部側面２００４に規制され、前記第２のバッテリー側面３００４が前記第２の収容部側面２００６に規制されることで、バッテリー３０の前後方向の位置が位置決めされる。また、係合爪２０１２が係合凹部３０１４に係合し、前記バッテリー３０の側面３００８が前記第３の収容部側面２００７に規制されることにより、バッテリー３０の幅方向の位置が位置決めされる。そして、これらの位置決めによりバッテリー収容保持状態が形成される。なお、本実施の形態では、係合凸部２０１１と係合凹部３０１３が係合することで、第２の収容部側面２００６側においてもバッテリーの高さ方向の位置が位置決めされている。
このバッテリー収容保持状態では、前記端子部３０１６と端子部２０１０が電気的に接続された状態となり、前記付勢部材２０１３により前記バッテリー３０が底面２００２から離間する方向に付勢された状態となる。
【００２２】
バッテリーの取外し
前記バッテリー３０の収容部３０からの取外しは次のようになされる。
まず、図４、図７、図１０に示すように、前記操作部材２００８を操作して前記ロック解除位置に直線移動させる。
前記操作部材２００８を前記ロック解除位置に直線移動させると、前記操作部材２００８の腕部２００８Ｃの箇所が前記揺動溝部１０１２Ａに臨む位置に位置するとともに、前記凸部２００８Ｂが前記揺動溝部１０１２Ｄに臨む位置に位置する。また、前記操作部材２００８の第１当接部２００８Ｅ１、第２当接部２００８Ｅ２のそれぞれが係合爪２０１２の第１当接部２０１２Ｂ１、第２当接部２０１２Ｂ２のそれぞれに当接した状態となる。
【００２３】
次いで、図５、図８、図１１に示すように、操作部材２００８を前記第１の付勢手段２０１６の付勢力に抗して操作して前記収容部２０から離れる方向に揺動させると、前記腕部２００８Ｃは揺動溝部１０１２Ａ内を移動し、前記凸部２００８Ｂは揺動溝部１０１２Ｄ内を移動する。これにより、図１５に二点鎖線で示すように、係合爪２０１２は前記第１当接部２００８Ｅ１、第２当接部２００８Ｅ２、第１当接部２０１２Ｂ１、第２当接部２０１２Ｂ２を介して操作部材２００８の揺動に連動して後退し、係合爪２０１２が前記第１のバッテリー側面３００４から退き、前記係合爪２０１２が係合凹部３０１４から外れる。これにより、前記バッテリー収容保持状態が解除される。
そして、前記バッテリー３０は、前記付勢部材２０１０によって付勢されているため、前記底面２００２から離間する方向に押し上げられることにより取出しやすい位置に変位され、ここでバッテリー３０をつかんで係合凸部２０１１から係合凹部３０１８を外す方向に動かすことでバッテリー３０の取外しがなされる。
前記バッテリー収容保持状態が解除された後、前記操作部材２００８から指を離せば、前記操作部材２００８は、前記第１の付勢手段２０１６、第２の付勢手段２０１８の付勢力により、揺動し直線移動することで前記ロック解除位置からロック位置に復帰される。
【００２４】
以上説明したように、本実施の形態のバッテリー着脱機構によれば、前記バッテリー３０を収容部２０に収容させると前記係合爪２０１２が前記バッテリー３０の係合凹部３０１４に係合することでバッテリー収容保持状態が形成され、前記操作部材２００８をロック位置からロック解除位置に移動させ、さらに操作部材を前記第１のバッテリー側面３００４から離れる方向に揺動させると前記係合爪２０１２が係合凹部３０１４から外れるように構成されている。
したがって、バッテリーを収容部に対して装着および取り外す際の操作が極めて容易に行なえる。
また、バッテリー着脱機構が係合爪２０１２と、操作部材２００８と、単一の支軸２０１４と、第１の付勢手段２０１６と、第２の付勢手段２０１８とで構成されているので、構成が簡素でかつスペースを占有しないので収容部の小型化、ひいては機器の小型化を図る上で有利である。
【００２５】
また、前記バッテリー収容保持状態において、前記ロック位置に位置している操作部材２００８を第１のバッテリー側面３００４から離間させる方向に揺動させようとしても、前記操作部材２００８の腕部２００８Ｃの箇所が前記第１当接部１０１２Ｃに当接するとともに、前記凸部２００８Ｂが第３当接部１０１２Ｄ２に当接することにより、操作部材２００８の揺動が阻止される。これにより、前記ロック位置に位置している操作部材２００８が不用意に動かされたとしても、前記係合爪２０１２と収容凹部３０１４の係合が解除されることがなく、バッテリー収容保持状態が解除されることを確実に防止することができる。
【００２６】
なお、前記操作部材２００８は、ロック位置からロック解除位置へ支軸２０１４に沿って直線移動し、次いで前記ロック解除位置で前記支軸２０１４回りに揺動するように構成されているため、その操作方向が２段階に切り換えられることになる。
したがって、前記操作部材２００８の操作方向が２段階に切り換えられる旨を表示することが操作部材２００８の操作性を向上する上で好ましい。
図１６（Ａ）に示す構成では、前記本体１０の凹部１０１２の外面の箇所のうち、前記操作部材２００８をロック解除位置に移動させたときに外方に露出する箇所に操作部材の揺動方向を示す矢印マーク１０１２Ａを設け、操作部材２００８の操作性の向上を図っている。
【００２７】
なお、図１６は、操作部材２００８に設けられる滑り止めの変形例も示しており、（Ａ）に示す構成では、前記操作部材２００８の板部２００８Ａの外面箇所に、滑り止め２００８Ｆ、２００８Ｇを設けている。前記滑り止め２００８Ｆは、支軸２０１４の外周方向に延在形成され、前記支軸２０１４の延在方向に間隔をおいて複数設けられている。前記滑り止め２００８Ｇは、前記複数の滑り止め２００８Ｆのロック解除位置側寄りの端部箇所に、前記支軸２０１４の延在方向に沿って延在形成されている。
【００２８】
図１６（Ｂ）に示す構成では、図１６（Ａ）と同じ滑り止め２００８Ｆ、２００８Ｇを設けるとともに、前記操作部材２００８の板部２００８Ａの外面箇所に前記操作部材２００８の直線移動方向および揺動方向を示す矢印マーク２００８Ｈを表示している。
図１６（Ｃ）に示す構成では、滑り止め２００８Ｆは、支軸２０１４の外周方向に延在形成され、前記支軸２０１４の延在方向に間隔をおいて複数設けられ、これら滑り止め２００８Ｉの上面は、前記支軸２０１４の外周方向に沿って高さが変る傾斜面として形成され、言い替えると前記揺動方向に向かうにつれて高くなる傾斜面として構成されている。
【００２９】
【発明の効果】
以上説明したように本発明によれば、機器の小型化を図る上で有利であり、バッテリーの着脱操作が容易なバッテリー着脱機構を提供することができる。
【図面の簡単な説明】
【図１】本発明の実施の形態のバッテリー着脱機構の操作部材がロック位置に位置した状態を示す斜視図である。
【図２】本発明のバッテリー着脱機構が適用されたビデオカメラの斜視図である。
【図３】（Ａ）はバッテリーを上方から見た斜視図、（Ｂ）はバッテリーを下方から見た斜視図である。
【図４】本発明の実施の形態のバッテリー着脱機構の操作部材がロック解除位置に位置した状態を示す斜視図である。
【図５】本発明の実施の形態のバッテリー着脱機構の操作部材がロック解除位置から揺動された状態を示す斜視図である。
【図６】本発明の実施の形態のバッテリー着脱機構の操作部材がロック位置に位置した状態を示す斜視図である。
【図７】本発明の実施の形態のバッテリー着脱機構の操作部材がロック解除位置に位置した状態を示す斜視図である。
【図８】本発明の実施の形態のバッテリー着脱機構の操作部材がロック解除位置から揺動された状態を示す斜視図である。
【図９】バッテリー着脱機構の操作部材がロック位置に位置した状態を示す斜視図である。
【図１０】バッテリー着脱機構の操作部材がロック解除位置に位置した状態を示す斜視図である。
【図１１】バッテリー着脱機構の操作部材がロック解除位置から揺動された状態を示す斜視図である。
【図１２】（Ａ）は操作部材が配設される本体部分の斜視図、（Ｂ）は前記本体部分を収容部の反対側から見た斜視図である。
【図１３】（Ａ）は操作部材を腕部側から見た斜視図、（Ｂ）は操作部材を腕部と反対側から見た斜視図である。
【図１４】操作部材および係合爪の斜視図である。
【図１５】係合爪の動作説明図である。
【図１６】（Ａ）は操作部材の変形例を示す斜視図、（Ｂ）は操作部材の他の変形例を示す斜視図、（Ｃ）は操作部材のさらに他の変形例を示す斜視図である。
【符号の説明】
１０……本体、２０……収容部、２００２……底面、２００４……第１の収容部側面、２００６……第２の収容部側面、２００８……操作部材、２０１２……係合爪、２０１４……支軸、２０１６……第１の付勢手段、２０１８……第２の付勢手段、３０……バッテリー、３００２……当て付け面、３００４……第１のバッテリー側面、３００６……第２のバッテリー側面、３０１４……係合凹部。
【図１】
0003925790.tif 000002
【図２】
0003925790.tif 000003
【図３】
0003925790.tif 000004
【図４】
0003925790.tif 000005
【図５】
0003925790.tif 000006
【図６】
0003925790.tif 000007
【図７】
0003925790.tif 000008
【図８】
0003925790.tif 000009
【図９】
0003925790.tif 000010
【図１０】
0003925790.tif 000011
【図１１】
0003925790.tif 000012
【図１２】
0003925790.tif 000013
【図１３】
0003925790.tif 000014
【図１４】
0003925790.tif 000015
【図１５】
0003925790.tif 000016
【図１６】
0003925790.tif 000017